(57)【要約】【課題】  紙製の包装容器内の任意形状の被包装物をクッション材や詰め物チップを使用することなく確実に支持できる被包装物の支持装置の提供。【解決手段】  包装容器（２）内で被包装物（３２）を覆う帯状のフィルム（１０）と、そのフィルム（１０）の長さ方向の両端（１０ａ、１０ｂ）にそれぞれ取り付けられたフィルム支持部（１２）と、それぞれのフィルム支持部（１２）を包装容器（２）の外側に貫通させるために包装容器（２）に設けられたスリット孔（６）と、それぞれのフィルム支持部（１２）を包装容器（２）の外側に貼着させる接着部材（１４）とで構成されている。【選択図】図１
2005200053.tif 000002
【特許請求の範囲】
【請求項１】
紙製の包装容器内に任意形状の被包装物を支持するための被包装物の支持装置において、包装容器内で被包装物を覆う帯状のフィルムと、そのフィルムの長さ方向の両端にそれぞれ取り付けられたフィルム支持部と、それぞれのフィルム支持部を包装容器の外側に貫通させるために包装容器の底部に設けられたスリット孔と、それぞれのフィルム支持部を包装容器の外側に貼着させるための接着部材とで構成されていることを特徴とする被包装物の支持装置。
【請求項２】
前記フィルムは、透明である請求項１の被包装物の支持装置。
【発明の詳細な説明】
【技術分野】
【０００１】
紙製の包装容器内に任意形状の被包装物を支持するための被包装物の支持装置に関する。
【背景技術】
【０００２】
近年、廃棄や焼却する場合に便利であり、また軽量であることから、段ボールやクラフト紙のような紙製の包装容器が多く用いられている。
しかしながら、被包装物の形状は種々雑多であるために、被包装物を包装容器内に固定しなければならず、箱状の包装容器の内側の空間に粒状の充填材を充填したり、或は、例えば気泡を有するクッション性のシートで被包装物を被覆したりする技術が知られている。
このように充填材を充填したり或はシートで被覆することは作業が面倒であり、また使用後の廃棄処分も必要となる。
【０００３】
また、被包装物と包装容器である紙製箱の内側の空間に被包装物の形状と適合した発泡スチロール等のクッション材を用いて固定することも行われているが、固状の発泡スチロールではその製造に際し型が必要であり、使用後に不要となったクッション材の廃棄処分に手間や経費がかかる等の不具合があった。
【０００４】
さらに、例えば図９に示すような変形６面体の被包装物３０を段ボール箱２５に収納する場合に、図８に示すようにその被包装物３０の支持部３０ａの断面形状に適合する孔４２を設けた移動防止部材４０（図１０参照）を用いて支持する技術も知られている。しかしながら、この場合、被包装物に応じて孔の形状を変えねばならない。
【０００５】
また、梱包用のクッション材として、外箱の段ボールの隅部に段ボールでＬ字状をした筒状体を形成してその内部にエアが密封されたクッション体を配置する例がある（例えば特許文献１参照）。しかし、このクッション材によれば形状が複雑となり、かつ、使用前にクッション材としての在庫占有容積が必要となる共に、使用後に廃棄処分が必要という欠点がある。
【０００６】
その他、収納物が形や大きさが異なる同種や異種であっても安定的に同時収納して携行できる物品収納ケース（例えば特許文献２参照）が提案されている。
しかし、これは開閉可能なケースの一側にクッション材を内蔵させて携行の安全性をはかったもので、紙製の一般の段ボール内の大〜小の被包装物の収納とは異なっている。
【０００７】
本出願人は小物商品の展示装置として、対向する２枚のフィルムで物品を挟んで位置を固定して外方から観察できる装置を提案した（特許文献３参照）。そしてその後の研究によって、この技術が包装容器の中にある被包装物を確実に支持することに適用できることがわかった。
【特許文献１】特開２００３−２９２０５１号公報
【特許文献２】特開２００３−３２５２２１号公報
【特許文献３】特許第３３４９１２６号公報
【発明の開示】
【発明が解決しようとする課題】
【０００８】
本発明は上述した従来技術の問題点に鑑みて提案されたものであり、紙製の包装容器に任意形状の被包装物をがたつきなく、確実に支持するための被包装物の支持装置を提供することを目的としている。
【課題を解決するための手段】
【０００９】
本発明の被包装物の支持装置は、紙製の包装容器内に任意形状の被包装物を支持するための被包装物の支持装置において、包装容器（２）内で被包装物（３２）を覆う帯状のフィルム（１０）と、そのフィルム（１０）の長さ方向の両端（１０ａ、１０ｂ）にそれぞれ取り付けられたフィルム支持部（１２）と、それぞれのフィルム支持部（１２）を包装容器（２）の外側に貫通させるために包装容器の底部に設けられたスリット孔（６）と、それぞれのフィルム支持部（１２）を包装容器（２）の外側に貼着させるための接着部材（１４）とで構成されている。（請求項１）
実施に際しては、前記フィルムは被包装物の形状と大きさに応じて単数でも複数でもよく、適度の弾性と適度の強度を有することが必要である。
この構成によって被包装物はフィルムに覆われて抑えられ、包装容器内にがたつくことなく支持される。
【００１０】
前記フィルムは、透明であることが好ましい。（請求項２）
これによって、フィルムに覆われた被包装物の形状が明確に確認できる。
【発明の効果】
【００１１】
以上の構成による本発明によれば、
（ａ）  フィルムで包装容器に被包装物を覆って支持するだけであり、包装作業が簡単となり、従来のようなクッション材を必要としないので、クッション材の充填作業が不要である利点がある。
（ｂ）  フィルムと支持部は、再利用が可能なので、使用後のクッション材の廃棄処理が不要である利点がある。
（ｃ）  フィルムで被包装物を覆って支持するので、被包装物の外形形状が滑らかでなくてもフィルムの弾性で支持できる利点がある。
（ｄ）  フィルムを透明材にすれば、覆われて支持された状態の被包装物が確認できる利点がある。
【発明を実施するための最良の形態】
【００１２】
図１〜図７は本発明の被包装物の支持装置の実施形態を示す図であり、図を参照して説明する。
側断面を示す図１において、段ボール製の箱状包装容器２は後述する被包装物の支持装置の構成を除いてそれ自体公知の６面体で構成されている。
この包装容器２の底部４に被包装物３２が配置され、その被包装物３２はその外面が止着体８を構成するフィルム１０で覆われている。
【００１３】
このフィルム１０は、図２に示されているようにその両端に厚紙製のフィルム支持部１２が貼着されており、このフィルム１０の端部の一方、図においては左方の端部１０ａは箱体２の底部４に設けた第１のスリット孔６ａを通って包装容器２の底部４の下面４ａに達し、端部の他方、図においては右方の端部１０ｂ、は第２のスリット孔６ｂを通って底部４の下面４ａに達している。
【００１４】
第１のスリット孔６ａの近傍を拡大して示す図２も参照して、第１のスリット孔６ａを貫通したフィルム１０の端部１０ａは板状のフィルム支持部１２で、例えばガムテープ等の接着部材１４によって底部４の底下面４ａに貼着されている。
図における符号３４及び３５は、例えば電線端子、ボルト頭部等の被包装物３２の突起部を示していて、符号７はそれらの突起３４及び３５を着座させて保護させ、かつ底部４の損傷を防ぐためのパッドを示している。
【００１５】
図３は図１を上面から見た平面図であって、包装容器２の上部の長蓋２ａと短蓋２ｂが開放された状態を示している。
底部４の上面に配置された被包装物３２の上部に、図においては左右方向にフィルム１０がかけられて、そのフィルム１０は左右のスリット孔６ａ、６ｂを挿通している。
【００１６】
図４は、図３を下方から見た図であって、スリット孔６ａ、６ｂを貫通したフィルム１０のフィルム支持部１２が、その外部から長方形の、例えばガムテープ等の接着部材１４によって底下面４ａに貼着されているところが示されている。
【００１７】
図５は長蓋２ａと短蓋２ｂが開放されている段ボール包装容器２の上面図であって、包装容器２の長手方向にフィルム１０の端部を貫通させる一対のスリット孔６ａ、６ｂが設けられている。なお、スリット孔６ａ、６ｂは被包装物３２の形状によって位置と方向を自由にきめてよい。
【００１８】
図６及び図７は、被包装物３２を覆って支持する止着体８を示している。
平面図６において、止着体８は帯状のフィルム１０と、フィルム１０の両端１０ａ、１０ｂに取り付けられたフィルム支持部１２、１２とで構成されている。
【００１９】
フィルム１０は、透明な、適度の弾性と適度な強度を備えた熱可塑性ポリウレタンエラストマーが好ましく、市販品としては例えば東洋紡ウレタンＤＤ３０８０あるいはＤＤ３０９０がよい。フィルム１０の厚さは、４０、７０、１００μ等の市販性のあるもののいずれでもよい。
【００２０】
フィルム支持部１２は、長さがフィルム１０と同長の矩形で、適度な剛性を有する薄板で形成されていて、包装用の紙器用板紙で熱融着性のある例えばチップボール等が好ましい。厚さは１〜３ｍｍ程度がよい。
【００２１】
上記構成の支持装置の使用例を以下に記す。
図５を参照して、被包装物３２に適合するスプリット孔６ａ、６ｂを設けた包装容器２を準備する。また、被包装物３２の底部突起３４、３５にあわせてパッド７、７を底部４に貼着させる。
【００２２】
同時に、図６、７を参照して、被包装物３２を覆って緊締できる幅と長さを有するフィルム１０の両端部１０ａ、１０ｂにフィルム支持部１２を熱融着させる。接着は熱融着でなく、接着剤接着でもクリップ止めでもよい。
ついで、被包装物３２を包装容器２の底部４に配置してする。
【００２３】
ついで、止着体８のフィルム１０で被包装物３２を覆い、フィルム１０の両端１０ａ、１０ｂに取り付けられたフィルム支持部１２、１２でスリット孔６ａ、６ｂを挿通させて底下面４ａの外部に取り出す。
【００２４】
フィルム支持部１２の一方を接着部材１４によって底部４の底下面４ａに貼着させ、ついでフィルム支持部１２の他方をフィルム１０に緊張力を与えながら接着部材１４によって底下面４ａに貼着させて被包装物３２を底部４に支持する。
上記構成の支持装置を確かめる２ｍ落下試験の結果は、強度向上に極めて効果があった。
【００２５】
上記支持は、長方形の被包装物３２を幅方向で１枚のフィルム１０によって覆う例であるが、被包装物３２の形状に応じて複数の止着体１４で、複数組のスリット孔６を有する包装容器を使用してもよい。またスリット孔６は、被包装物の形状に応じて例えば包装容器尾２の側面でもよくまた、現場合わせであけることも可能である。
【図面の簡単な説明】
【００２６】
【図１】本発明の被包装物の支持装置の実施形態を示す側断面構成図である。
【図２】図１のスリット孔近傍の拡大詳細を示す側断面図である。同上の支持装置の上面図である。
【図３】同上の支持装置の上面図である。
【図４】支持装置の底部を外部から見た平面図である。
【図５】包装容器の上面図である。
【図６】止着体を示す平面図である。
【図７】図６の側面図である。
【図８】従来の被包装物の支持例を示す側断面図である。
【図９】図８中の被包装物を示す斜視図である。
【図１０】図８の上面図である。
【符号の説明】
【００２７】
２・・・包装容器
４・・・底部
６・・・スリット孔
７・・・パッド部
８・・・止着体
１０・・・フィルム
１２・・・フィルム支持部
１４・・・接着部材
３２・・・被包装物
３４、３５・・・突起物
【図１】
2005200053.tif 000003
【図２】
2005200053.tif 000004
【図３】
2005200053.tif 000005
【図４】
2005200053.tif 000006
【図５】
2005200053.tif 000007
【図６】
2005200053.tif 000008
【図７】
2005200053.tif 000009
【図８】
2005200053.tif 000010
【図９】
2005200053.tif 000011
【図１０】
2005200053.tif 000012